(57)【要約】【課題】転倒の虞れが少ないスタンド用ベース部材及び該ベース部材を備えたチェーンスタンドの提供。【解決手段】チェーンスタンド１のスタンド用ベース部材２は、ゴムからなるウエイトＷの形態であって、支柱５０の下端部５６が係合される係合穴５を中心部に備えた厚肉の中央部６と該中央部６の外周に拡がる外側環状部７とを有し、該外側環状部７が外周縁に近づくほど薄くなる最外周側環状部分８を備える。中央部及び外側環状部の全体が、係合穴を中心部に備えた円錐台Ａの形状を有する。典型的には、中央部６が円錐台Ａのうち中央の円柱状部分Ａ１からなり、外側環状部７が円錐台Ａのうち中央の円柱状部分Ａ１以外の部分円錐状部分Ａ２からなり、最外周側環状部分８が部分円錐状部分Ａ２のうち最外周側の環状部分からなる。【選択図】図１
0003190591.tif 000002
【実用新案登録請求の範囲】
【請求項１】
支柱の下端部が係合される係合穴を中心部に備えた厚肉の中央部と該中央部の外周に拡がる外側環状部とを有し、該外側環状部が外周縁に近づくほど薄くなる最外周側環状部分を備えた、ゴムからなるウエイトの形態のスタンド用ベース部材。
【請求項２】
前記中央部及び前記外側環状部の全体が、係合穴を中心部に備えた円錐台の形状を有し、前記中央部が円錐台のうち、係合穴を中心部に備えた、中央の円柱状部分からなり、前記外側環状部が円錐台のうち該中央の円柱状部分以外の部分円錐状部分からなり、前記最外周側環状部分が前記部分円錐状部分のうち最外周側の環状部分からなる請求項１に記載のスタンド用ベース部材。
【請求項３】
前記係合穴のうち穴の部分が前記中央部を軸方向に貫通した貫通孔からなり、前記中央部の底面が前記外側環状部の底面よりも凹んでおり、前記係合穴のうち穴以外の係合部分が、前記貫通孔の周壁並びに該周壁の上端側及び下端面側の係合構造部分からなる請求項２に記載のスタンド用ベース部材。
【請求項４】
前記係合穴は、中空タンクの形態のスタンド用ベース部材の係合穴と同一形状であって、該中空タンクの形態のスタンド用ベース部材に係合可能な支柱と係合されるように構成されている請求項1から３までのいずれか一つの項に記載のスタンド用ベース部材。
【請求項５】
請求項１から４までのいずれか一つの項に記載のスタンド用ベース部材と、チェーンの一端が取外し可能に取付けられるチェーン取付部を上端に備えると共に下端に該スタンド用ベース部材の前記係合穴と係合される係合構造部を備えた支柱とを有するチェーンスタンド。
【考案の詳細な説明】
【技術分野】
【０００１】
本考案は、チェーンスタンドの如きスタンドに用いられるスタンド用ベース部材及び該ベース部材を備えたチェーンスタンドに係る。
【背景技術】
【０００２】
チェーンスタンドは、ポール（支柱）と、ウエイトとして働き該ポールの下端部を支えてポールを支持するベース部材とからなり、ポールの上端近傍には、チェーンを取付けるためのチェーン取付係合部が形成されている。ポールがベース部材に対して取外し可能に取付られるように、ポールの下端近傍にはベース係合部を備え、ベース部材の側には、ポールのベース係合部と係合されるポール係合部が形成されている。
【０００３】
従来のチェーンスタンドにおいては、ベース部材は、水や砂を入れた状態で重錘として働き得るように、中空のタンクの形態の比較的硬質のプラスチック材料からなる（例えば、非特許文献１及び２）。
【０００４】
従来のチェーンスタンドのベース部材は、中空タンクの形態を採ることから、できるだけ多くの水や砂を収容可能なように且つ中空プラスチック材料がある程度の強度を有し得るように、最外周部でも数ｃｍ程度以上の高さの円筒状面の形態を採る。
【０００５】
この種のチェーンスタンドは、不使用時には水や砂を抜いておくことにより、軽い状態で持ち運び得るという利点はあるものの、以下のような不具合もある。
【０００６】
すなわち、この種の従来のチェーンスタンドでは、中空ベース部材の内部の水等収容空間を水等で完全に満たすことは実際上できず、ある程度は空気の領域が残ることから、該スタンドが傾いてベース部材が傾くと水等も傾斜した方に集まってしまうために、チェーンスタンドが転倒し易い。しかも、この種の従来のチェーンスタンドでは、最外周部は数ｃｍ程度以上の厚さ（高さ）の円筒状面になっていることから、チェーンスタンドが傾き、ベース部材が傾くと、ベース部材は円筒の周面のうち円形の下縁部の一カ所で地面に当接する状態になり、円に沿って転がり易いことから、不安定になって転倒する虞れがある。なお、ベース部材が角筒状である場合には、底面の多角形の辺からずれた方向に傾く可能性が高く、その場合、辺の方向に転動し、不安定になって転倒する虞れがある。
【０００７】
また、この種のチェースタンドは比較的硬質のプラスチック製の中空タンクからなるので、車（のタイヤ）等の重いものがその上に載ると破損するだけでなくタイヤに損傷を与える虞れもある。更に、この種のチェーンスタンドの中空タンクのプラスチック材料は、通常はポリエチレンからなり、屋外で使用される場合には光による劣化を受け易い。
【０００８】
なお、複雑な構造のスタンドの提案の例はあるけれども、コストがかかるだけでなく、その重錘部分の重量が不足して転倒する虞れがある（例えば、特許文献１）。
【先行技術文献】
【特許文献】
【０００９】
【特許文献１】特許第３４３２０３１号公報
【非特許文献】
【００１０】
【非特許文献１】「ＡＺチェーンポール」という商品名でチェーンポール及びベース部材からなるチェーンスタンドを販売しているウエブサイトの一例（http://www.nogyo-shizai.com/?pid=41571146）（平成26年2月25日時点）
【非特許文献２】チェーンスタンドを販売しているウエブサイトの別の一例（http://www.mitsugiron.co.jp/item.php?kat=e1）（平成26年2月25日時点）
【考案の概要】
【考案が解決しようとする課題】
【００１１】
本考案は前記諸点に鑑みなされたものであり、転倒の虞れが少ないスタンド用ベース部材及び該ベース部材を備えたチェーンスタンドを提供することにある。
【課題を解決するための手段】
【００１２】
本考案のスタンド用ベース部材は、前記目的を達成すべく、支柱の下端部が係合される係合穴を中心部に備えた厚肉の中央部と該中央部の外周に拡がる外側環状部とを有し、該外側環状部が外周縁に近づくほど薄くなる最外周側環状部分を備えた、ゴムからなるウエイトの形態である。
【００１３】
本考案のスタンド用ベース部材では、「ゴムからなるウエイトの形態であって、厚肉の中央部と該中央部の外周に拡がる外側環状部とを有し、該外側環状部が外周縁に近づくほど薄くなる最外周側環状部分を備える」ので、重心が中央部にあるから、ゴム製のベース部材が傾いても、重心が地面や床との接点を越えるほど傾動されない限り、元の位置に戻ろうとする復元方向のトルクが働くため、ベース部材が転倒する虞れが少ない。本考案のスタンド用ベース部材では、特に、「ゴムからなる外側環状部が外周縁に近づくほど薄くなる最外周側環状部分を備える」ので、ベース部材が傾いて環状の最外周環状部分のうちの外周縁を含む一カ所が地面や床に当接した状態を採ると、環状の最外周環状部分のうち当接した箇所がゴム弾性により床や地面に当接する平面状になると共に当該当接箇所に隣接する箇所が弾性的に折れ曲がるから、従来の硬質プラスチックからなる中空タンクの場合と異なり、ベース部材が最外周環状部分の外周縁に沿って転動するのを抑制し得る。従って、ベース部材が傾いても、該ベース部材は、外周縁に沿って転動することなく、ベース部材の重心に働く重力の作用による、床や地面への当接領域を支点とする、復元トルクによって元の状態に復帰し得る。
【００１４】
なお、本考案のスタンド用ベース部材では、全体がゴムからなるので、踏まれて破損したり、光による劣化が進んだりする虞れも少ない。ここで、ゴムは、典型的には、ＳＢＲ（スチレンブタジエンゴム）からなる。但し、室内であるか室外であるかや油その他の流体に触れ易いか否か等の使用環境に応じて該環境に適した他のゴム材からなっていてもよい。
【００１５】
本考案のスタンド用ベース部材では、典型的には、前記中央部及び前記外側環状部の全体が、係合穴を中心部に備えた円錐台の形状を有し、前記中央部が円錐台のうち、係合穴を中心部に備えた、中央の円柱状部分からなり、前記外側環状部が円錐台のうち該中央の円柱状部分以外の部分円錐状部分からなり、前記最外周側環状部分が前記部分円錐状部分のうち最外周側の環状部分からなる。
【００１６】
その場合、中心軸線の周りで回転対称であるので、どの方向に対しても転倒の虞れが少ない。なお、「前記中央部及び前記外側環状部の全体が、係合穴を中心部に備えた円錐台の形状」であるとは、輪郭が概ね円錐台の形状であることをいい、凹凸などは適宜設けられる。例えば、円錐台の下面の全体が一平面であるのではなく、円錐台の下面の一部が床面や地面に当接する底面になり、残りの部分は該底面よりも凹んだ（底面よりも上に位置するように底面に対して凹んだ）状態であり得る。
【００１７】
また、「前記中央部が円錐台のうち、係合穴を中心部に備えた、中央の円柱状部分からなり、前記外側環状部が円錐台のうち該中央の円柱状部分以外の部分円錐状部分からなる」として規定したように、この明細書においては、「部分円錐状部分」とは、円錐台のうちの中央の円柱状部分以外の部分、又はこれと同様な形状の部分をいう。
【００１８】
なお、所望ならば、「前記中央部及び前記外側環状部の全体が、係合穴を中心部に備えた円錐台の形状」以外の形状であってもよい。その場合、例えば、中央部の少なくとも一部が中心近傍から離れるほど薄くなるなど厚さが中央部の上面が外周円に向かって下がっていてもよい。逆に、中央部は全体として実際上同程度の厚さを有し、外側環状部の一部（例えば、内周縁側環状部分）が、全体として実際上同程度の厚さを有していてもよい。
【００１９】
本考案のスタンド用ベース部材では、典型的には、前記係合穴のうち穴の部分が前記中央部を軸方向に貫通した貫通孔からなり、前記中央部の底面が前記外側環状部の底面よりも凹んでおり、前記係合穴のうち穴以外の係合部分が、前記貫通孔の周壁並びに該周壁の上端面側及び下端面側の係合構造部分からなる。
【００２０】
その場合、ベース部材と係合されるべき支柱のベース係合部としての係合構造部をベース部材の貫通孔に通して、ベース部材のポール（支柱）係合部としての係合穴と係合させ得る。
【００２１】
本考案のスタンド用ベース部材では、典型的には、前記係合穴は、中空タンクの形態のスタンド用ベース部材の係合穴と同一形状であって、該中空タンクの形態のスタンド用ベース部材に係合可能な支柱と係合されるように構成されている。
【００２２】
その場合、従来の中空タンクの形態のスタンド用ベース部材の代わりに、本考案のゴム製のベース部材を用い得る。
【００２３】
本考案のチェーンスタンドは、前記目的を達成すべく、上述のスタンド用ベース部材と、チェーンの一端が取外し可能に取付けられるチェーン取付部を上端に備えると共に下端に該スタンド用ベース部材の前記係合穴と係合される係合構造部を備えた支柱とを有する。
【００２４】
なお、本考案のスタンド用ベース部材は、チェーンスタンド以外に用いられてもよく、その場合、スタンド用ベース部材に係合される支柱ないしポールは、チェーン以外のもの（例えば標識）を取り付けるために用いられる。なお、その場合、支柱ないしポール自体が標識を備えていてもよい。
【図面の簡単な説明】
【００２５】
【図１】本考案の好ましい一実施例のチェーンスタンドの正面説明図（傾いた状態を想像線で示している）。
【図２】図１のチェーンスタンドの断面説明図（ベース部材の部分のみを断面で示したもの）。
【図３】図１のチェーンスタンドのベース部材を示したもので、（ａ）は斜め上からみた斜視説明図、（ｂ）は斜め下から見た斜視説明図。
【図４】図３のベース部材を示したもので、（ａ）は底面説明図、（ｂ）は（ａ）のＩＶＢ−ＩＶＢ線断面説明図。
【図５】図１のチェーンスタンドのベース部材を示したもので、（ａ）は図３の（ａ）よりも上において斜め上からみた斜視説明図、（ｂ）は図３の（ａ）よりも上において斜め上から見た斜視断面説明図。
【図６】図１のチェーンスタンドの支柱を示したもので、（ａ）は支柱の正面説明図、（ｂ）は支柱の側面説明図。
【図７】図１のチェーンスタンドのベース部材と支柱との組立てを始める段階を示した正面説明図（ベース部材の部分のみを断面で示したもの）。
【考案を実施するための形態】
【００２６】
本考案の好ましい一実施の形態を添付図面に示した好ましい一実施例に基づいて説明する。
【実施例１】
【００２７】
本考案の好ましい一実施例のスタンド用ベース部材２を備えた本考案の好ましい一実施例のチェーンスタンド１は、図1及び図２に示したように、該チェーンスタンド用ベース部材２とチェーンスタンド用支柱ないしポール３とからなる。
【００２８】
チェーンスタンド用ベース部材２は、図1及び図２に加えて、図３〜図５に示したように、概ね円錐台Ａの形状のゴム製のウエイトＷの形態の塊体４からなる。
【００２９】
より詳しくは、塊体４は、円錐台Ａのうち中央の円柱状部分Ａ１と、円錐台Ａのうち中央の円柱状部分Ａ１以外の部分円錐状部分Ａ２とからなる（図1においては、円柱状部分Ａ１と部分円錐状部分Ａ２との境界を想像線で示したけれども、実際には両者は一体的につながって全体として円錐台Ａを形成している）。塊体４の外表面は、部分円錐状部分Ａ２の側面部１０すなわち円錐台Ａの側面部１０と、中央の円柱状部分Ａ１の環状上面部２０すなわち円錐台Ａの中央の台状部を規定する環状表面部２０と、円錐台Ａの底部をなす底面部３０と、円錐台Ａの中央の円柱状部分Ａ１の中心に形成された中央の係合穴部５とを備える。円錐台Ａや部分円錐台状部分Ａ２の側面部１０は、その中央側の円形縁部１１において環状表面部２０の外周縁部２１と一体的につながり、外周側の円形縁部１２において、底面部３０の外周縁３１と一体的につながっている。
【００３０】
ポール（支柱）係合部としての係合穴部５は、中心軸線Ｃの延在方向Ｂに延びた貫通孔４１を規定する概ね円筒状の周面４２の形態の周壁４０を備える。周壁４０の円筒状周面４２には、上端４２ａから下端４２ｂまで中心軸線Ｃの延在方向Ｂと平行に延びた一対の軸方向溝部４３，４３が形成されている。なお、円筒状周面４２の上端４２ａ側の環状表面部２０には、溝部４３，４３の上端部４３ａ，４３ａとつながった、上端側の係合構造部分としての、環状切欠部ないし凹部４４が形成されており、円筒状周面４２の下端４２ｂ側の底面部３０には、溝部４３，４３の下端部４３ｂ，４３ｂとつながった、下端側の係合構造部分としての、螺旋状切欠部４５，４５が形成されている。螺旋状切欠部４５，４５の上側側面４６，４６ないし周壁４０の螺旋状下端面４６，４６は係止面として働く。ここで、ポール係合部としての係合穴部５のうち実際に係合に係る係合部分は、円筒状周面４２の存在を前提として、溝部４３，４３と螺旋状下端面４６，４６と環状切欠部４４とからなる。
【００３１】
塊体４の底面３０側には、円形凹部３７が形成され、該円形凹部３７の底面３２には外周側環状凹部３３及び中間環状凹部３４が形成されており、環状凹部３３，３４の間の領域は円形凹部３７内の環状凸部３５になり、環状凹部３４と貫通孔４１との間の領域は、周壁４０を含む内側環状凸部３６になっている。
【００３２】
従って、ゴム製の塊体４の形態のチェーンスタンド用ベース部材２は、円錐台のうち貫通孔４１近傍に厚肉の中央部６を備えると共に、該中央部６の外周の外側環状部７が外周縁に近づくほど薄くなる最外周側環状部分８を備える。この例では、厚肉の中央部６が円錐台Ａの中央の円柱状部分Ａ１（但し係合孔５を備える）からなり、外側環状部７が部分円錐状部分Ａ２からなる。塊体４がゴム製であるので、この最外周側環状部分８は、多かれ少なかれ、ゴム弾性を有し、弾性変形可能である。ここで、最外周側環状部分８は、側面部１０の外周側の円形縁部１２及び底面部３０の外周縁３１の近傍の環状領域を指し、外側環状部７は厚肉の中央部６と連続的につながった領域を指す。
【００３３】
以上のように構成されたゴム製の塊体４の形態のチェーンスタンド用ベース部材２では、重心Ｇは、水平断面でみると、その回転対称な形状からして中心軸線Ｃ上にある。一方、中心の環状表面部２０の下に位置する中空円柱状部２２（中央の円柱状部Ａ１のうち係合穴５の空洞を除いた部分）と比較して部分円錐状部分Ａ２の方が体積がはるかに大きいことから、中心Ｃを通る上下方向でみると、重心Ｇは、ベース部材２の上下方向の中央部よりも相当下に位置し、例えば符号Ｇで示したような位置（大まかな位置を示したもので厳密ではない）にある。なお、ここでは、塊体４の全体が実際上一様な密度を有するとして説明したけれども、所望ならば、重心が下に位置するように密度が一様でなくてもよい。
【００３４】
一方、チェーンスタンド用支柱ないしポール３は、図１及び図２に加えて図６の(ａ)及び（ｂ）に示したように、中空円柱状の支柱本体５０と、該支柱本体５０の上端５０ａ側に形成されたチェーン引掛部ないしチェーン取付係合部５１と、該支柱本体５０の下端５０ｂ側に形成されたベース部材２への係合部すなわちベース係合部ないし取付構造部５６とを備える。
【００３５】
チェーン引掛部５１は、支柱本体５０の上端５０ａ側において直径方向の両側に形成されたチェーン引掛用小柱部５２，５２と、該小柱部５２，５２へのチェーンの引掛及び該引掛解除を可能にするチェーン係脱空間を形成する両側凹部５３，５３と、チェーンの不測の離脱（引掛解除）の虞れを最低限にするように凹部５３，５３の出入り口５３ａ，５３ａを狭める庇状張出部５４，５４とを備える。なお、小柱部５２，５２は、チェーンの外れ難くすべく小柱本体部５２ａ，５２ａに対して出入り口５３ａ，５３ａを狭めるように鉤状に折れ曲がった鉤状部５２ｂ，５２ｂとを備える。
【００３６】
一方、ベース部材２への係合ないし取付構造部ないしベース係合部５６は、支柱本体５０の下端部５０ｂにおいて直径方向の両側に突出した係合突起部５７，５７と、支柱本体５０の下端５０ｂ側において本体５０の外周面に形成された環状突起部５８とを備える。
【００３７】
ここで、支柱３の本体５０の外径Ｄ１はベース部材２の係合穴部５の貫通孔４１の内径Ｄ２と実際上同程度で、支柱３とベース部材２とが着脱可能に嵌合され得るように、Ｄ２＞Ｄ１である。また、支柱３の環状突起部５８の下面ないし下側面５８ａから係合突起部５７の上端面５７ａまでの長さＬ１は、ベース部材２の係合穴部５の螺旋状切欠部４５の下端面４６のうち最も上側に位置する下端面部４６ａからベース部材２の環状切欠部４４の底面４４ａまでの長さＬ２よりも大きく（Ｌ１＞Ｌ２），ベース部材２の係合穴部５の螺旋状切欠部４５の下端面４６のうち最も下側に位置する下端面部４６ｂからベース部材２の環状切欠部４４の底面４４ａまでの長さＬ３よりも小さい（Ｌ１＜Ｌ３）
【００３８】
以上の如く構成されたチェーンスタンド用ベース部材２とポールないし支柱３とによりチェーンスタンド１を組立てるには、図７に示したように、ベース部材２を地面ないし床面Ｆに載置しておき、ベース部材２の中央の係合穴部５の一対の軸方向溝部４３，４３の上端部４３ａ，４３ａに対して、支柱３の下端の係合突起部５７，５７がＢ方向に向きあうように整列した状態で、支柱３を中心軸線Ｃの延在方向に沿ってＢ１方向に下げて、支柱の円筒状本体部５０の円筒状下端部５０ｂをベース部材２の係合穴部５の貫通孔４１に嵌め込むと共に支柱３の円筒状本体部５０の円筒状下端部５０ｂにある係合突起部５７，５７をベース部材２の係合穴部５の周壁部４０の軸方向溝部４３，４３にＢ１方向に嵌め込む。ベース部材２の係合穴部５に対する支柱３の円筒状下端部５０ｂのＢ１方向の嵌め込みは、支柱３の環状突起部５８がベース部材２の係合穴部５の上端にある環状切欠部４４に嵌り込むまで行われる。支柱３の環状突起部５８の下側面５８ａがベース部材２の環状切欠部４４の底面４４ａに当接する位置に達すると、係合突起部５７，５７は、右回りに見て隣接する螺旋状切欠部４５，４５の隣接下端面４６ａ，４６ａよりもＢ１方向に入り込んだ位置（より下の位置）であって、左回りに見て隣接する螺旋状切欠部４５，４５の隣接下端面４６ｂ，４６ｂよりもＢ２方向の位置（より上の位置）を採る（上下方向の相対位置に関しては図２を参照）。Ｂ１方向の挿入が完了すると、次に、ベース部材２に対して支柱３を中心軸線Ｃのまわりで、右回りにＣ１方向に回す。これにより、支柱３の下端の係合突起部５７，５７が右回りに隣接する螺旋状切欠部４５，４５の下端面４６，４６に沿って、Ｃ１方向に移動する。支柱３のこのＣ１方向回転は、支柱３の下端の係合突起部５７，５７が螺旋状切欠部４５，４５の螺旋状下端面４６，４６に押し付けられるようになるまで行われ、支柱３が実際上Ｃ１方向に回らなくなると、支柱３がベース部材２に固定されたことになる。
【００３９】
なお、ベース部材２から支柱３を取り外すには逆の操作（支柱３のＣ２方向回転及びＢ２方向引抜きをすればよい。
【００４０】
ここでは、ベース部材２及び支柱３の係合の仕方の一例を示したけれども、ベース部材がゴム製であっても中空タンクの形態の中空プラスチック製であってもベース部材２と支柱３とが取外し可能に係合される限り、その係合の仕方ないし係合構造（すなわち、ポール係合部としての係合穴５の形状や構造及びベース係合部としての支柱３の取付構造部５６の形状や構造）は上記の例とは異なっていてもよい。
【００４１】
以上の如く構成されたチェーンスタンド１では、例えば図１からわかるように、重心Ｇが中心軸線Ｃ上でベース部材２の高さＨの１／２よりもはるかに下に位置するので、例えば、図１において想像線で示したように底面３０の最外周縁部３１のうちの一カ所Ｊを視点としてＱ１方向に相当程度の角度傾いた揺動位置Ｓｂを採っても、重心Ｇのところに働く重力Ｍに伴う戻し方向のトルクによって、ベース部材２が実線で示した元の位置ＳａにＱ２方向に確実に復帰し得る。
【００４２】
すなわち、従来のチェーンスタンドにおけるようにベース部材が中空の硬質プラスチック材料からなっていてその中空室内に水等が充填されている場合には、内部の水等は多少空隙が残る状態で収容されるもので多くの場合相当程度空隙が残る状態で水等が入れられていることから、その種の従来のベース部材が傾いた場合には、内部の水面等が水平になるように水等が内部で最配置される故に、元の位置により復帰し難くなる。特に、中空の硬質プラスチック材料からなるベース部材では、載上げを避け容積を大きくすべく外周側縁部が最外周縁部まで概ね同程度の高さで形成されることから、傾いた際の重心移動が大きく且つ重心が支持面への支点を越える虞れが高くなり、しかも、傾動に伴なう内部の水の動きがより転倒の虞れを高めるのに対して、ゴム製の塊体４からなるベース部材２ではこのような原因による転動の虞れがない。
【００４３】
特に、このチェーンスタンド１では、ベース部材２が弾性を備えたゴム材からなり且つ最外周側環状部分８が薄くなっているので、図１において想像線で示したように、最外周側環状部分８が弾性的に折れ曲がった形状８ｉになるから、Ｑ１方向の揺動位置Ｓｂにおいて、ベース部材２は、単に、底面３０の最外周縁部３１で地面の如き支持面Ｆに当接するだけではなく、最外周縁部３１につながる最外周側環状部分８の平面状の底面側部分８ａにおいて弾性的に折れ曲がった状態で支持面Ｆに当接した状態を採る。従って、ベース部材が実際上剛性材料からなる場合に最外周縁部の実際上一点で支持面Ｆに当接する場合と異なり、最外周縁部に沿って転動等する虞れが少ないから、Ｑ２方向に確実に元の状態Ｓａに復帰し得る。
【００４４】
加えて、このチェーンスタンド１では、外周縁に近づく程薄くなるような円錐台状周面２０を備えるので、車のタイヤなどがぶつかったり（室外）、人が躓いたりする（室外及び室内）虞れが少ない。
【００４５】
一方、従来の中空プラスチック材料からなるベース部材を用いたチェーンスタンドでは、最外周縁部まで相当程度の高さがあることから、車のタイヤ等がぶつかる虞れがあるだけでなく、タイヤ等が乗り上げると割れ等の破損が生じる虞れがあり、人が躓いたりする虞れも高い。
【００４６】
更に、このチェーンスタンド１では、ベース部材２がゴム製の塊体４からなるので、直射日光等による劣化の虞れを最低限に抑ええ得る。それに対して、ポリエチレンなどからなる従来のプラスチック製の中空タンクの形態のベース部材では、直射日光等による劣化を受け易い。ここで、従来のプラスチック製のベース部材では、プラスチック材料は水等を収容するタンクとして働く必要があるので、劣化の影響が大きいのに対して、ゴム製の塊体４からなるベース部材２では、ゴムは外周縁部８がある程度の弾力性を保った状態で塊体４をなしていれば足りるので、仮に多少の劣化が生じてもその影響が少ないことから、ベース部材としての機能に及ぼす影響の差異が大きくなる。なお、ゴム材は、例えば、ＳＢＲ（スチレンブタンジエンゴム）からなる。ＳＢＲであれば、リサイクルされたゴムを用いてもよい（例えば、半分程度）。なお、使用場所に応じて、ＳＢＲの代わりに他の適切な材質のゴムでももよい。
【００４７】
以上においては、スタンド用ベース部材２がチェーンスタンド１に用いられる例について説明したけれども、スタンド用ベース部材２は、チェーンスタンド１以外に用いられてもよく、その場合、スタンド用ベース部材２に係合される支柱ないしポールは、チェーン以外のもの（例えば標識）を取り付けるために用いられる。なお、その場合、支柱ないしポール自体が標識を備えていてもよい。
【符号の説明】
【００４８】
１  チェーンスタンド
２  スタンド用ベース部材
３  ポール（支柱）
４  塊体
５  係合穴部（ポール係合部）
６  中央部
７  外側環状部
８  最外周側環状部分
８ａ  底面側部分
８ｉ  折れ曲がり形状
１０  側面部（円錐台の側面部ないし部分円錐面（部分円錐状部分の側面部））
１１  円形縁部
１２  円形縁部
２０  環状表面部
２１  外周縁部
３０  底面部
３１  外周縁
３１  外周縁
３２  底面
３３  外周側環状凹部
３４  中間環状凹部
３５  環状凸部
３６  内側環状凸部
３７  円形凹部
４０  周壁
４１  貫通孔
４２  円筒状周面
４２ａ  上端
４２ｂ  下端
４３，４３  軸方向溝部
４３ａ  上端部
４３ｂ  下端部
４４  環状切欠部（環状凹部）（上端側の係合構造部分）
４４ａ  底面
４５  螺旋状切欠部（下端側の係合構造部分）
４６  螺旋状下端面（上側側面）
４６ａ  螺旋状下端面のうち最も上に位置する部分
４６ｂ  螺旋状下端面のうち最も下に位置する部分
５０  支柱本体
５０ａ  上端
５０ｂ  下端
５１  チェーン引掛部（チェーン取付係合部）
５２  チェーン引掛用小柱部
５２ａ  小柱本体部
５２ｂ  鉤状部
５３  凹部
５３ａ，５３ａ  出入り口
５４  庇状張出部
５６  取付構造部（ベース係合部）
５７  係合突起部
５７ａ  上端面
５８  環状突起部
５８ａ  下側面
Ａ  円錐台
Ａ１  中央の円柱状部分
Ａ２  部分円錐状部分
Ｂ  延在方向
Ｂ１，Ｂ２  挿入・引抜方向
Ｃ  中心軸線
Ｃ１，Ｃ２  回転方向
Ｄ１  外径
Ｄ２  内径
Ｆ  地面（又は床面）
Ｇ  重心
Ｊ  支点
Ｌ１，Ｌ２，Ｌ３  長さ
Ｍ  重力
Ｑ１  傾動（揺動）方向
Ｑ２  復帰方向
Ｓａ  基準位置
Ｓｂ  傾動（揺動）位置
Ｗ  ウエイト
【図１】
0003190591.tif 000003
【図２】
0003190591.tif 000004
【図３】
0003190591.tif 000005
【図４】
0003190591.tif 000006
【図６】
0003190591.tif 000007
【図７】
0003190591.tif 000008
【図５】
0003190591.tif 000009